(57)【要約】      （修正有）【課題】揃いの形態を有する蝶結びを用いた包装の装飾を可能とする装飾具を提供する。【解決手段】装飾具１０は蝶結び１４と、帯状片１６とを備える。蝶結び１４は装飾上の主体をなし、帯状片１６は蝶結び１４を前記装飾対象に取り付けるための取り付け手段をなす。帯状片１６は、また、後述するように、従たる装飾体とすることができる。蝶結び１４は、リボン片を蝶結びに結んでなる。前記リボン片は、前記装飾対象の大きさ、形状等を考慮して選択された長さ、幅、色彩等を有する布、不織布等からなる。前記したように、蝶結び１４は帯状片１６を介して前記装飾対象に取り付けられる。このため、従来行われていたリボン片を蝶結びに結んで行う前記装飾対象への取り付けを必要としない。前記装飾対象への取り付け前に準備した、均一な形状、大きさ等を有する形態の揃った蝶結び１４による装飾が可能である。【選択図】図３
0003191674.tif 000002
【実用新案登録請求の範囲】
【請求項１】
蝶結びと、該蝶結びを包装に取り付けるための帯状片とを含み、
前記帯状片は、前記蝶結びに固着された一端部と、前記蝶結びに固着可能である他端部とを有する、装飾具。
【請求項２】
前記包装は、瓶又は包装袋からなる、請求項１に記載の装飾具。
【請求項３】
前記帯状片の他端部はこれに取り付けられた両面接着テープ片を介して前記蝶結びに固着可能である、請求項１又は２に記載の装飾具。
【請求項４】
前記帯状片はリボン片からなる、請求項１〜３のいずれか１項に記載の装飾具。
【考案の詳細な説明】
【技術分野】
【０００１】
本考案は、包装に取り付けられる装飾具、特に化粧品、香水等が詰められた包装容器である瓶のキャップへの取り付け又は商品が詰められた包装袋への取り付けに好適な装飾具に関する。
【背景技術】
【０００２】
従来、贈答の対象とされる化粧品や香水が詰められた比較的小さい瓶（小瓶）の装飾、あるいは商品が詰められた包装袋の装飾のため、前記瓶のキャップの周囲又は前記包装袋の周囲に蝶結びからなる装飾具を取り付けることが行われている。
【考案の概要】
【考案が解決しようとする課題】
【０００３】
前記蝶結びの取り付けは、リボン片を前記瓶のキャップあるいは前記包装袋の一部に巻き付け、これを蝶結びに結ぶことにより行われる。しかし、蝶結びに結ぶ者の技量により、形状、大きさ等が異なる不揃いの形態を有する蝶結びができあがるという問題がある。本考案は、揃いの形態を有する蝶結びを用いた包装の装飾を可能とする装飾具を提供することにある。
【課題を解決するための手段】
【０００４】
本考案に係る装飾具は、蝶結びと、該蝶結びを包装に取り付けるための帯状片とを含み、前記帯状片は、前記蝶結びに固着された一端部と、前記蝶結びに固着可能である他端部とを有する。
【０００５】
本考案によれば、前記帯状片を介して、前記蝶結びを包装、例えば瓶のキャップ又は包装袋に取り付けることができる。より詳細には、前記キャップの周面に帯状片を巻き付け、あるいは、前記包装袋の窄められた一部の周囲に帯状片を巻き付け、前記帯状片の自由端部である他端部を前記蝶結びに固着することにより、前記瓶のキャップ又は前記包装袋に前記蝶結びを取り付けることができる。したがって、前記包装を装飾する蝶結びは、その取り付けの前に予め形成された揃いの形態を有するものとすることができる。
【０００６】
前記帯状片の他端部はこれに取り付けられた両面接着テープ片を介して前記蝶結びに固着可能とすることができる。また、前記帯状片はこれがリボン片からなるものとすることができる。前記リボン片の色彩、素材等は任意に設定することができ、前記リボン片の使用により、前記蝶結びと前記帯状片との双方による装飾効果をその装飾対象に付与することができる。
【図面の簡単な説明】
【０００７】
【図１】本考案に係る装飾具が取り付けられた瓶の正面図である。
【図２】装飾具が取り付けられた瓶の背面図である。
【図３】装飾具の正面図である。
【図４】装飾具の背面図である。
【考案を実施するための形態】
【０００８】
図１及び図２を参照すると、本考案に係る装飾具１０とその装飾対象である包装の一例である、化粧品、香水等が詰められた比較的小さいプラスチック製、ガラス製等の包装容器をなす瓶１２とがそれぞれ示されている。
【０００９】
図３及び図４に示すように、装飾具１０は蝶結び１４と、帯状片１６とを備える。蝶結び１４は装飾上の主体をなし、帯状片１６は蝶結び１４を前記装飾対象に取り付けるための取り付け手段をなす。帯状片１６は、また、後述するように、従たる装飾体とすることができる。図１及び図３並びに図２及び図４は、それぞれ、蝶結び１４の表側及び裏側を示す。
【００１０】
蝶結び１４は、リボン片を蝶結びに結んでなる。前記リボン片は、前記装飾対象の大きさ、形状等を考慮して選択された長さ、幅、色彩等を有する布、不織布等からなる。前記したように、蝶結び１４は帯状片１６を介して前記装飾対象に取り付けられる。このため、従来行われていたリボン片を蝶結びに結んで行う前記装飾対象への取り付けを必要としない。前記装飾対象への取り付け前に準備した、均一な形状、大きさ等を有する形態の揃った蝶結び１４による装飾が可能である。
【００１１】
帯状片１６は、蝶結び１４に固着された一端部（図示せず）と、自由端部をなす、蝶結び１４に固着可能である他端部１８とを有する。帯状片１６の前記一端部は、図示の例では、蝶結び１４の結び目２０（図４参照）の内部に挿入され、該内部において蝶結び１４の一部に接着材や両面テープ片を介して固着されている。他方、帯状片１６の他端部１８には両面テープ片２２が貼付され、これにより蝶結び１４に固着可能とされている。両面テープ片２２の露出面である表面は、使用時に両面テープ片２２から分離される剥離紙（図示せず）により保護されている。
【００１２】
装飾具１０は、その帯状片１６を瓶１２のキャップ２４にその周囲から巻き付け、両面テープ片２２を蝶結び１４の裏側（図４に示す側）の任意の箇所、例えば結び目２０に押し付けてこれに固着することができる。その結果、蝶結び１４がキャップ１６に取り付けられる。
【００１３】
帯状片１６の他端部１８に貼付された両面テープ片２２は、他端部１８における表裏両面のいずれにあっても良いが、好ましくは、帯状片１６をキャップ１６に巻き付けたときに蝶結び１４の前記裏側に相対する面にあるようにする。
【００１４】
装飾具１０は、また、任意の商品が詰められた包装袋（図示せず）をその装飾対象としてこれに取り付けることができる。前記包装袋は、例えばプラスチックフィルム製、布製、不織布製等のものからなる。
【００１５】
装飾具１０の装飾は、前記包装袋をその口の近傍の部分において窄め、窄めた部分に装飾具１０を取り付けることにより行うことができる。より詳細には、瓶１２の装飾と同様、装飾具１０の帯状片１６を前記包装袋の窄めた部分にその周囲から巻き付け、帯状片１６の他端部１８を両面テープ２２により蝶結び１４の例えば結び目２０に固着し、これにより、装飾具１０を前記包装袋に取り付けることができる。
【００１６】
装飾具１０を構成する帯状片１６は、これを蝶結び１４を構成する前記リボン片と同様のリボン片からなるものとすることができ、これにより、前記装飾対象に対して、蝶結び１４と帯状片１６との双方による装飾効果を付与することができる。帯状片１６を構成する前記リボン片は、例えば蝶結び１４を構成するリボン片と同じ材質、色彩、幅寸法等を有するものとし、あるいは逆に異なる材質、色彩、幅寸法等を有するものとすることができる。
【符号の説明】
【００１７】
１０  装飾具
１２  瓶（装飾対象）
１４  蝶結び
１６  帯状片
１８  帯状片の他端部
２０  蝶結びの結び目
２２  両面テープ片
２４  瓶のキャップ
【図１】
0003191674.tif 000003
【図２】
0003191674.tif 000004
【図３】
0003191674.tif 000005
【図４】
0003191674.tif 000006